(57)【要約】【課題】電子機器においてコネクタが不完全な状態、例えばコネクタのオス部とメス部がずれて接続された場合、接触抵抗が大きくなり、電子機器の運用時にノイズやデータ伝送の不具合が発生することがあるという問題があった。【解決手段】  装置側のコネクタのメス部コンタクト２１を左側部、中央部、右側部、奥側部の４つに分割し、相手コンタクトによる接続で前記中央部と左側部、中央部と右側部、中央部と奥側部の各部間抵抗値が規定値以下であることを確認し、正常にコネクタ接続されていると判断する抵抗値確認部３１３と、前記判断結果を表示する発光部３１４と、基板或いは装置の動作電源が入ったことを確認する電源感知部３１６と、該電源を確認すると、前記各部と抵抗値確認部３１３との接続を開放し、各部を一つに接続後本来の行き先に接続替えするスイッチ部３１２と、チェック用バッテリー部３１５を備える。【選択図】      図２
2006073213.tif 000002
【特許請求の範囲】
【請求項１】
コネクタのコンタクトであって、本来一体であるが、互いに非導通となる様複数方向で分割したコンタクトと、
分割した各部分を取り出し、相手コネクタの対応するコンタクトにより前記各部分間が接続される際の各部分間の抵抗値が予め定めた所定値以下であることを確認し、正常にコネクタ接続されていると判断する手段と、
前記判断結果を表示する手段とを備えたことを特徴とするコネクタの接続確認方式。
【請求項２】
基板或いは装置の動作電源が入ったことを確認する電源感知部と、
該電源を確認すると、前記分割した各部分と前記抵抗値を確認する手段との接続を開放し、各部分を一つに接続後本来の行き先に接続替えするスイッチ部とを備えたことを特徴とする請求項１記載のコネクタの接続確認方式。
【請求項３】
コネクタのコンタクトであって本来一体であるが、互いに非導通となる様縦方向に３分割、奥方向に２分割することで、左側部、中央部、右側部、奥側部の４つに分割したコンタクトと、
分割した各部分を取り出し、相手コネクタの対応するコンタクトにより前記中央部と左側部、中央部と右側部、中央部と奥側部の、各部分間抵抗値が予め定めた所定値以下であることを確認し、正常にコネクタ接続されていると判断する手段と、
前記判断結果を表示する手段とを備えたことを特徴とするコネクタの接続確認方式。
【請求項４】
前記表示手段が接続不良となっている方向も示すことを特徴とする請求項１、又は３記載のコネクタの接続確認方式。
【請求項５】
基板或いは装置の動作電源が入ったことを確認する電源感知部と、
該電源を確認すると、前記分割した左側部、中央部、右側部、奥側部の各部と前記抵抗値を確認する手段との接続を開放し、各部を一つに接続後本来の行き先に接続替えするスイッチ部とを備えたことを特徴とする請求項３記載のコネクタの接続確認方式。
【請求項６】
前記各部分に分割したコンタクトを持つコネクタに、相手側のコネクタが実装されたことを検出する実装確認スイッチと、
このスイッチのオンの立ち上がりを検出し、所定の短期間、前記抵抗値の確認を指示する手段を備えることを特徴とする請求項１乃至５の何れかに記載のコネクタの接続確認方式。
【請求項７】
前記抵抗値の確認の指示信号を他装置から受信する手段を、前記分割したコンタクトを持つコネクタを含む基板或いは装置に備えたことを特徴とする請求項１乃至５の何れかに記載のコネクタの接続確認方式。
【請求項８】
更に、前記確認し、判断する手段用のバッテリを、前記分割したコンタクトを持つコネクタを含む基板或いは装置に備えたことを特徴とする請求項１乃至５の何れかに記載のコネクタの接続確認方式。
【請求項９】
前記バッテリが、前記基板或いは装置の動作電源をオンとし運用されているときに充電される手段も含むことを特徴とする請求項８記載のコネクタの接続確認方式。
【請求項１０】
本来一体であるコンタクトを、互いに非導通となる様複数方向で分割したコンタクトを備えたことを特徴とするコネクタ。
【請求項１１】
本来一体であるコンタクトを、互いに非導通となる様縦方向に３分割、奥方向に２分割することで、左側部、中央部、右側部、奥側部の４つに分割したコンタクトを備えたことを特徴とするコネクタ。
【請求項１２】
本来一体であるコンタクトを、互いに非導通となる様複数方向で分割するステップと、
分割した各部分を取り出し、相手コネクタの対応するコンタクトにより前記各部分間が接続される際の各部分間の抵抗値が予め定めた所定値以下であることを確認し、正常にコネクタ接続されていると判断するステップと、
前記判断結果を表示するステップとを備えたことを特徴とするコネクタの接続確認方法。
【請求項１３】
基板或いは装置の動作電源が入ったことを確認する電源感知ステップと、
該感知で、前記分割した各部分の抵抗値を確認のための接続を開放し、各部分を一つに接続後本来の行き先に接続替えするステップとを備えたことを特徴とする請求項１２記載のコネクタの接続確認方法。
【請求項１４】
本来一体であるコンタクトを、互いに非導通となる様縦方向に３分割、奥方向に２分割することで、左側部、中央部、右側部、奥側部の４つに分割するステップと、
分割した各部分を取り出し、相手コネクタの対応するコンタクトにより前記中央部と左側部、中央部と右側部、中央部と奥側部の、各部分間抵抗値が予め定めた所定値以下であることを確認し、正常にコネクタ接続されていると判断するステップと、
前記判断結果を表示するステップとを備えたことを特徴とするコネクタの接続確認方法。
【請求項１５】
基板或いは装置の動作電源が入ったことを確認する電源感知ステップと、
該確認で、前記分割した左側部、中央部、右側部、奥側部の各部の前記抵抗値を確認するのための接続を開放し、各部を一つに接続後本来の行き先に接続替えするステップとを備えたことを特徴とする請求項１４記載のコネクタの接続確認方法。
【請求項１６】
相手側のコネクタが実装されたことを検出する実装確認スイッチのオンの立ち上がりを検出し、所定の短期間、前記抵抗値の確認を指示するステップを備えることを特徴とする請求項１２乃至１５の何れかに記載のコネクタの接続確認方法。
【請求項１７】
前記抵抗値の確認の指示を他装置から受信するステップを備えたことを特徴とする請求項１２乃至１５の何れかに記載のコネクタの接続確認方法。
【発明の詳細な説明】
【技術分野】
【０００１】
本発明はコネクタの接続確認方式と方法、及びコネクタに関し、特に、接触不良箇所、不良内容が容易に分かるコネクタの接続確認方式と方法、及びコネクタに関する。
【背景技術】
【０００２】
従来のコネクタの接続確認では単に導通のみの確認を行っていた。この場合接続をしていても不完全な状態、例えばコネクタのオス部（プラグ側）とメス部（ソケット側）がずれて接続された場合でも導通があったものとして正常接続と見なしてしまう。
【０００３】
一方、最近の電子機器においては、動作上の高速化の要求により、コネクタのコンタクトを通過する信号のハイ、ロウのレベル差が小さくなりつつある。
【０００４】
また、コネクタ等の接触不良を検出する技術として下記の半導体用ソケットがある。
【０００５】
即ち、リードピン挿入穴のそれぞれに独立に挿入リードピンと接触するＡ接触子とＢ接触子の２個の接触子を有し、隣り合うリードピン挿入穴の間では順次にＡ接触子とＢ接触子がスイッチを介して接続されており、半導体装置を装着した状態でスイッチ・オンしたときの導通を検出してソケット接触不良の有無を判別する（特許文献１参照。）。
【０００６】
【特許文献１】特開平４−１２３７７４号公報（第２ページ）
【発明の開示】
【発明が解決しようとする課題】
【０００７】
上記不完全な接続状態においては、実際には、ずれて接続されているため、接触面積が正常状態より小さくなる。
【０００８】
このため接触抵抗が大きくなり、電子機器の運用時にノイズやデータ伝送の不具合が発生することがあるという問題があった。
【０００９】
また、上記半導体用ソケットの技術では、ソケットにおける接触不良を検出できるが、どのリードピン挿入穴が接触不良かを示すものではない。
【００１０】
また、接触不良を起こしているリードピン挿入穴における挿入がどの方向にずれているかを示すものでもない。
【００１１】
これらにより、接触不良を解消するために操作者や保守者等が何回か試行錯誤して実装し直す必要があった。
【課題を解決するための手段】
【００１２】
本発明の第１のコネクタの接続確認方式は、コネクタのコンタクトであって、本来一体であるが、互いに非導通となる様複数方向で分割したコンタクトと、分割した各部分を取り出し、相手コネクタの対応するコンタクトにより前記各部分間が接続される際の各部分間の抵抗値が予め定めた所定値以下であることを確認し、正常にコネクタ接続されていると判断する手段と、前記判断結果を表示する手段とを備えたことを特徴とする。
【００１３】
本発明の第２のコネクタの接続確認方式は、前記第１のコネクタの接続確認方式であって、基板或いは装置の動作電源が入ったことを確認する電源感知部と、該電源を確認すると、前記分割した各部分と前記抵抗値を確認する手段との接続を開放し、各部分を一つに接続後本来の行き先に接続替えするスイッチ部とを備えたことを特徴とする。
【００１４】
本発明の第３のコネクタの接続確認方式は、コネクタのコンタクトであって本来一体であるが、互いに非導通となる様縦方向に３分割、奥方向に２分割することで、左側部、中央部、右側部、奥側部の４つに分割したコンタクトと、分割した各部分を取り出し、相手コネクタの対応するコンタクトにより前記中央部と左側部、中央部と右側部、中央部と奥側部の、各部分間抵抗値が予め定めた所定値以下であることを確認し、正常にコネクタ接続されていると判断する手段と、前記判断結果を表示する手段とを備えたことを特徴とする。
【００１５】
本発明の第４のコネクタの接続確認方式は、前記第１、又は第３のコネクタの接続確認方式であって、前記表示手段が接続不良となっている方向も示すことを特徴とする。
【００１６】
本発明の第５のコネクタの接続確認方式は、前記第３のコネクタの接続確認方式であって、基板或いは装置の動作電源が入ったことを確認する電源感知部と、該電源を確認すると、前記分割した左側部、中央部、右側部、奥側部の各部と前記抵抗値を確認する手段との接続を開放し、各部を一つに接続後本来の行き先に接続替えするスイッチ部とを備えたことを特徴とする。
【００１７】
本発明の第６のコネクタの接続確認方式は、前記第１乃至第５の何れかのコネクタの接続確認方式であって、前記各部分に分割したコンタクトを持つコネクタに、相手側のコネクタが実装されたことを検出する実装確認スイッチと、このスイッチのオンの立ち上がりを検出し、所定の短期間、前記抵抗値の確認を指示する手段を備えることを特徴とする。
【００１８】
本発明の第７のコネクタの接続確認方式は、前記第１乃至第５の何れかのコネクタの接続確認方式であって、前記抵抗値の確認の指示信号を他装置から受信する手段を、前記分割したコンタクトを持つコネクタを含む基板或いは装置に備えたことを特徴とする。
【００１９】
本発明の第８のコネクタの接続確認方式は、前記第１乃至第５の何れかのコネクタの接続確認方式であって、更に、前記確認し、判断する手段用のバッテリを、前記分割したコンタクトを持つコネクタを含む基板或いは装置に備えたことを特徴とする。
【００２０】
本発明の第９のコネクタの接続確認方式は、前記第８のコネクタの接続確認方式であって、前記バッテリが、前記基板或いは装置の動作電源をオンとし運用されているときに充電される手段も含むことを特徴とする。
【００２１】
本発明の第１のコネクタは、本来一体であるコンタクトを、互いに非導通となる様複数方向で分割したコンタクトを備えたことを特徴とする。
【００２２】
本発明の第２のコネクタは、本来一体であるコンタクトを、互いに非導通となる様縦方向に３分割、奥方向に２分割することで、左側部、中央部、右側部、奥側部の４つに分割したコンタクトを備えたことを特徴とする。
【００２３】
本発明の第１のコネクタの接続確認方法は、本来一体であるコンタクトを、互いに非導通となる様複数方向で分割するステップと、分割した各部分を取り出し、相手コネクタの対応するコンタクトにより前記各部分間が接続される際の各部分間の抵抗値が予め定めた所定値以下であることを確認し、正常にコネクタ接続されていると判断するステップと、前記判断結果を表示するステップとを備えたことを特徴とする。
【００２４】
本発明の第２のコネクタの接続確認方法は、前記第１のコネクタの接続確認方法であって、基板或いは装置の動作電源が入ったことを確認する電源感知ステップと、該感知で、前記分割した各部分の抵抗値を確認のための接続を開放し、各部分を一つに接続後本来の行き先に接続替えするステップとを備えたことを特徴とする。
【００２５】
本発明の第３のコネクタの接続確認方法は、本来一体であるコンタクトを、互いに非導通となる様縦方向に３分割、奥方向に２分割することで、左側部、中央部、右側部、奥側部の４つに分割するステップと、分割した各部分を取り出し、相手コネクタの対応するコンタクトにより前記中央部と左側部、中央部と右側部、中央部と奥側部の、各部分間抵抗値が予め定めた所定値以下であることを確認し、正常にコネクタ接続されていると判断するステップと、前記判断結果を表示するステップとを備えたことを特徴とする。
【００２６】
本発明の第４のコネクタの接続確認方法は、前記第３のコネクタの接続確認方法であって、基板或いは装置の動作電源が入ったことを確認する電源感知ステップと、該確認で、前記分割した左側部、中央部、右側部、奥側部の各部の前記抵抗値を確認するのための接続を開放し、各部を一つに接続後本来の行き先に接続替えするステップとを備えたことを特徴とする。
【００２７】
本発明の第５のコネクタの接続確認方法は、前記第１乃至第４の何れかのコネクタの接続確認方法であって、相手側のコネクタが実装されたことを検出する実装確認スイッチのオンの立ち上がりを検出し、所定の短期間、前記抵抗値の確認を指示するステップを備えることを特徴とする。
【００２８】
本発明の第６のコネクタの接続確認方法は、前記第１乃至第４の何れかのコネクタの接続確認方法であって、前記抵抗値の確認の指示を他装置から受信するステップを備えたことを特徴とする。
【発明の効果】
【００２９】
本発明のコネクタの接続確認方式や方法は、本体側のコネクタを分割しているので、カード側（相手側）のコネクタを改造する必要がないという第１の効果を有する。
【００３０】
又、コネクタのコンタクトを３ポイントに渡って所定抵抗値以下かを測定しているので、縦横及び奥行きの接続不良を感知することができるという第２の効果を有する。
【００３１】
単に導通を確認しているのではなく抵抗値を確認しているので、不完全な接触で導通と判断される場合でも、抵抗値が規定以下かを測定することにより正常に接続していないことを判断することができるという第３の効果を有する。
【００３２】
コネクタが挿入することを感知することにより必要な時間のみの測定チェックが可能であり、チェックのための電力の節約が可能となるという第４の効果を有する。
【００３３】
運用時に駆動電力を本体の装置から充電し、本体の電源をオフにしてカード（基板）を実装する時に充電した電力を使用して接続確認を行うことができるという第５の効果を有する。
【発明を実施するための最良の形態】
【００３４】
次に、本発明を実施するための最良の形態について図面を参照して詳細に説明する。
【００３５】
図１は本発明のコネクタの接続確認方式の第１実施形態の全体の構成図である。図１において、接続されるカード側には、コネクタオス部（プラグ部）１にｎ個のオス部コンタクト１１、１２、・・、１ｎを備える。ここでｎは端子（コンタクト）数を表す自然数である。
【００３６】
本体装置側ないし母板のコネクタメス部（ソケット部）には、ｎ個のメス部コンタクト２１、２２、・・、２ｎと実装確認スイッチ２０を備える。
【００３７】
接続確認回路３１はコネクタのオス部コンタクト１１（以下オス部１１とする）とメス部コンタクト２１（以下メス部２１とする）が接続される時点において接続確認信号（表示）を送出する。
【００３８】
接続確認回路３２、・・、３ｎについても同様である。
【００３９】
図２は図１の接続確認回路３１の詳細を示したブロック図である。図２において、メス部コンタクト２１は４分割され、それぞれ左側部２１２、中央部２１１、右側部２１３、奥側部２１４と分割されている。
【００４０】
実装確認部３１１は実装確認スイッチ２０からの実装確認信号により、これのオン時の立ち上がりを検出し抵抗値確認部３１３、・・、３ｎ３に対して動作指示信号を出す。
【００４１】
電源感知部３１６は装置からの電源信号により電源が入ったことを確認し、スイッチ部３１２に対して切り替え指示信号を出す。
【００４２】
スイッチ部３１２は、電源感知部３１６からの切り替え指示信号によりコネクタのメス部２１の各分割部分から来た信号を接続、導通させることにより、分割部分を電気的に一体のコンタクトとみなせるようにする。
【００４３】
また抵抗値確認部３１３への信号を本来の行き先から遮断する。また切り替え信号がきていない場合は、各分割部からの信号を抵抗値確認部へ接続する。
【００４４】
チェック用バッテリー部３１５は装置が運用されているときは装置からの電源よりバッテリーのチャージを行い、装置の電源が入っていない場合は、接続確認回路３１〜３Ｎの駆動用バッテリーとして使用される。
【００４５】
抵抗値確認部３１３は、実装確認部からの動作指示信号または、診断制御回路（ＤＧＰ）から指示信号により所定の時間の間駆動し、スイッチ部３１２から入ってきたコネクタ上の各分割部からの信号を入力し抵抗値を測定する。
【００４６】
測定は分割部の３ポイントとする。
【００４７】
測定の結果３ポイントとも規定の抵抗値より小さければ正しく実装されていると判断し発光部３１４に対して発光指示信号を送出する。
【００４８】
発光部３１４は抵抗値確認部３１３からの発光指示信号により発光を行い、正しく接続されたことを表示する。
【００４９】
尚、実装確認部３１１、電源感知部３１６、チェック用バッテリー部３１５は接続確認回路３１〜３ｎに対し共通であり、それぞれを一つづつ設ければよい。
【００５０】
図３は図１のメス部コンタクト２１の分割状況とオス部コンタクト１１を示す図である。図３において、メス部コンタクト２１は４分割され、それぞれ左側部２１２、中央部２１１、右側部２１３、奥側部２１４と分割され、オス部１１が入ってくることにより各分割部が接触することにより導通され、メス部とオス部の接続の状態を各分割部毎の抵抗値の状態で判断する。
【００５１】
図４（ａ）はコネクタメス部２とこれに設けられた実装確認スイッチ２０と、コネクタメス部２に実装される前のコネクタ１を示す図である。
【００５２】
図４（ｂ）に示す様に、実装確認スイッチ２０は、コネクタオス部１が入ることによりスイッチ２０の可動片２０−１が押され、スイッチが入る（固定片２０−２と接合する）。
【００５３】
スイッチ２０の両接点信号は実装確認部３１１へ送出され、実装確認部３１１はオンの立ち上がりを検出する。
【００５４】
次に、本発明を実施するための最良の形態の動作について図面を参照して説明する。
【００５５】
図１において装置本体側にカードが接続される場合、本体側のコネクタのメス部２１とカード側のコネクタのオス部１１が接触することになるが、この接触において接触時の抵抗を測定することにより正常に接続されているかどうかを確認する。
【００５６】
ここでコネクタのメス部２１は図３の様に分割され、それぞれ左側部２１２、中央部２１１、右側部２１３、奥側部２１４と仮に名を付ける。
【００５７】
左側部２１２と中央部２１１がコネクタのオス部１１を介して接続された時の抵抗を測定ポイント値１とする。
【００５８】
また右側部２１３と中央部２１１が同様にオス部１１を介し接続されたときの抵抗を測定ポイント値２とする。また同様に奥側部２１４と中央部２１１の抵抗を測定ポイント値３とする。
【００５９】
先ず、コネクタ１と２が接続された時図４の実装確認スイッチ２０がカード側のコネクタのオス部１１により押されることによりスイッチがＯＮとなり、図２の実装確認部３１１に対して実装確認信号を送出する。
【００６０】
この信号により図２の実装確認部３１１は動作指示信号を抵抗値確認部３１３、・・、３ｎ３に対して送出する。抵抗値確認部３１３は動作指示信号により所定の期間（数秒程度）駆動状態となる。
【００６１】
一方、スイッチ部３１２では電源感知部３１６が装置の電源が入っていないことを確認することにより、コネクタのメス部２１の各分割部からの信号を抵抗値確認部３１３に送出する。
【００６２】
仮に運用状態の場合は、電源感知部３１６からの切り替え指示信号によりスイッチ部３１２では各分割部からの信号が接続され電気的にコネクタのメス部が１枚の導通面となる。
【００６３】
駆動状態となった抵抗値確認部３１３では、スイッチ部３１２から入ってきた各分割部からの測定ポイントの信号の抵抗値測定を行う。
【００６４】
各測定ポイントの測定ポイント値が３ポイント共に規定の抵抗値より小さければ正常に接続されたと認識され発光部３１４に対して発光指示信号を送出し、発光部３１４では点灯し正常に接続されたことを表示する。
【００６５】
またどれか１ポイントでも規定の抵抗値より大きければ正常に接続されていないと認識する。
【００６６】
例えば測定ポイント値３（奥側部）が規定の抵抗値より大きい場合は、コネクタが奥まで実装されていない、もしくは完全に奥まで入っていないことを示している。
【００６７】
また測定ポイント１（左側部）が規定の抵抗値より大きい場合は、コネクタが正常よりも右より入っていることを示している。
【００６８】
チェック用バッテリー部３１５では上記抵抗値確認部３１３が駆動されている期間に抵抗値確認部及び発光部３１４に対して電力を供給する。
【００６９】
また装置が運用されている場合は、装置より電力を供給しバッテリーに電力をチャージする。
【００７０】
次に、本発明の主要部である接続確認回路３１の具体的な実施例について図５を参照し説明する。
【００７１】
図５は接続確認回路３１のうち、スイッチ部３１２、抵抗値確認部３１３、発光部３１４とメス部コンタクト２１の詳細を示すブロック図である。
【００７２】
尚、図５では接続確認回路の共通部分である実装確認部３１１、電源感知部３１６、チェック用バッテリー部３１５は省略しており、共通部分についてはＤＧＰからチェック結果読み出し用のシフトレジスタ３７のみ図示している。
【００７３】
スイッチ部３１２はスイッチで機能を模式的に示しているが、コンタクトの各分割部との接続側の１つの接点に対し２つの接点を持つスイッチ３１２１〜３１２４を含む。
【００７４】
尚、スイッチ部３１２は実際には、トランジスタ等のスイッチ素子を含む半導体で構成する。
【００７５】
抵抗値確認部３１３は、動作指示或いはＤＧＰからの確認指示でチェック用バッテリー部３１５からの電源を投入するスイッチ３１３１、ダイオード回路３１３２〜３１３４、ＮＯＲ回路３１３５、３１３６を含む。
【００７６】
また、ダイオード回路３１３２は予め定めた所定値の抵抗３１３２１とダイオード３１３２２を含む。
【００７７】
次に本実施例の動作を説明する。オス部コネクタ１が差し込まれると、抵抗値確認部３１３は、実装確認部３１１から動作指示信号を受け、スイッチ３１３１をオンとしバッテリー電源を給電する。
【００７８】
スイッチ部３１２では電源感知部３１６より切替指示がきてないので、スイッチ３１２１ではメス部コンタクト２１の中央部がＧＮＤ接点に接続されている。
【００７９】
スイッチ３１２２〜３１２４ではメス部コンタクト２１の左側部、右側部、奥側部がそれぞれ抵抗値確認部３１３への接点に接続されている。
【００８０】
メス部コンタクト２１とオス部コンタクト１１との接合が正常であれば、抵抗値確認部３１３への各ライン（測定ポイント１，２，３）のレベルはＧＮＤになっている。
【００８１】
ダイオード回路３１３２〜３１３４では、それぞれダイオードが順方向にオンし、ＮＯＲ回路３１３５、３１３６の入力は全てロウレベル（ＧＮＤレベル）になり、出力がハイとなり発行部（ＬＥＤ）３１４１、３１４２を駆動し発光させる。
【００８２】
オス部コンタクト１１が右側にずれて実装され、測定ポイント１がＧＮＤレベルより高くなっていれば対応するダイオード３１３２２でのＶｆ（順方向オン電圧）が得られず、ダイオード３１３２２がオンせずＮＯＲ回路３１３５への入力がハイとなりＬＥＤ３１４１は点灯されない。ＬＥＤ３１４２はＮＯＲ回路３１３６の出力がハイとなり点灯する。
【００８３】
オス部コンタクト１１が左側にずれて実装され、測定ポイント２がＧＮＤレベルより高くなっていれば対応するダイオードがオンせずＮＯＲ回路３１３６への入力がハイとなりＬＥＤ３１４２は点灯されない。ＬＥＤ３１４１はＮＯＲ回路３１３５の出力がハイとなり点灯する。
【００８４】
オス部コンタクト１１が前側にずれて実装され、測定ポイント３がＧＮＤレベルより高くなっていれば対応するダイオードがオンせずＮＯＲ回路３１３５と３１３６への入力がハイとなりＬＥＤ３１４１と３１４２は共に点灯しない。
【００８５】
従って、操作者或いは保守者は、何れかのＬＥＤ（発光ダイオード）が点灯していないコンタクトに着目して、また消灯しているＬＥＤや共に消灯かに着目し接続不良となっている方向を把握し、オス部コネクタ１とメス部コネクタ２の勘合でコンタクト間の接触不良が起こっているとし、これがなくなる様勘合し直す。
【００８６】
抵抗確認結果であるＮＯＲ回路３１３５、３１３６の出力はシフトレジスタ３１７のビット１、２にパラレルセットされる。同時に、ＮＯＲ回路３ｎ３５、３ｎ３６の出力はシフトレジスタ３１７のビット２ｎ−１、２ｎにパラレルセットされる。
【００８７】
ＤＧＰからの読み出し指示（シフトアウトパルス）を受けシフトレジスタ３１７のシフトアウト出力がＤＧＰに送出される。
【００８８】
尚、本実施例ではスイッチ３１２１の接点をＧＮＤ（グランド）に落としているが、これは抵抗値確認部に引き込んでからＧＮＤに落としてもよい。
【００８９】
また、スイッチ３１２１の接点も抵抗値確認部３１３に引き込み、これと他の各接点信号との抵抗値が所定値以下かを判定する様にしてもよい。
【００９０】
ここで、抵抗値の判定の回路はダイオード回路３１３２に限定するものでなく、抵抗値が所定値以下かを判定出来る回路であればどの様な回路でもよい。
【００９１】
この実施例では、コンタクトあたりＬＥＤを２つ使用して表示しているが、各コンタクトについて接続不良有無信号（１ビット）と、接続不良時の方向指示信号（２ビット）を出力し、ｎビットの接続不良有無信号をエンコードし、接続不良を起こしている最初のコンタクト（端子）番号を表示し、それで対応する方向指示信号を選択し表示する様にしてもよい。
【００９２】
本発明の他の実施例として、その基本的構成は上記の通りであるが、コネクタについては平型コネクタ以外にも応用は可能である。
【００９３】
たとえば円形のプラグ状のコネクタにおいても、プラグを受けるソケット側で、差し込み方向で２分割し、円周方向で２分割することによりソケットを４分割し、各部分間の抵抗値が所定値以下であることを測定乃至判定することにより正常に接続されていることを確認することが可能である。
【００９４】
次に本発明のコネクタの接続確認方式、方法の第２実施形態について説明する。図１に於いて、本実施形態ではコネクタメス部２のｎ個のメス部コンタクトの内、両端のメス部コンタクト２１、２ｎのみが図３に示す様に４分割されている。
【００９５】
また、接続確認回路もこれらのコンタクトに対応した接続確認回路３１、３ｎのみを設ける。
【００９６】
これ以外は前記第１の実施形態と同様である。
【図面の簡単な説明】
【００９７】
【図１】本発明のコネクタの接続確認方式の第１実施形態の全体を示す構成図。
【図２】図１の接続確認回路３１の詳細を示したブロック図。
【図３】図１のコネクタのメス部コンタクト２１の分割状況を示す図。
【図４】（ａ）はコネクタメス部２とこれに設けられた実装確認スイッチ２０と、コネクタメス部２に実装される前のコネクタオス部１を示し、（ｂ）はコネクタオス部１実装中の実装確認スイッチ２０を示す図。
【図５】本発明の主要部である接続確認回路３１の具体的な実施例を示す図。
【符号の説明】
【００９８】
１、２    コネクタ
１１〜１ｎ    オス部（オス部コンタクト）
２０    実装確認スイッチ
２１〜２ｎ    メス部（メス部コンタクト）
２１１    中央部
２１２    左側部
２１３    右側部
２１４    奥側部
３１〜３ｎ    接続確認回路
３１１    実装確認部
３１２    スイッチ部
３１２１〜３１２４    スイッチ
３１３    抵抗値確認部
３１３１    スイッチ
３１３２    ダイオード回路
３１３２１    抵抗
３１３２２    ダイオード
３１３５、３１３６    ＮＯＲ回路
３１４    発光部
３１４１、３１４２    ＬＥＤ
３１５    チェック用バッテリー部
３１６    電源感知部
３１７    シフトレジスタ
【図１】
2006073213.tif 000003
【図２】
2006073213.tif 000004
【図３】
2006073213.tif 000005
【図４】
2006073213.tif 000006
【図５】
2006073213.tif 000007